【手続補正書】
【提出日】平成16年2月23日(2004.2.23)
【手続補正１】
【補正対象書類名】明細書
【補正対象項目名】全文
【補正方法】変更
【補正の内容】
【発明の名称】シフターのシーブ枠固定装置
【特許請求の範囲】
【請求項１】機枠内に複数のシーブ枠を多段状に積層してなるシフターにおいて、各シーブ枠を固定するため、流体の注入によって膨脹する膨脹体をシーブ枠に添って周設したことを特徴とするシフターのシーブ枠固定装置。
【請求項２】上記機枠内には各シーブ枠を嵌合するための差込枠を形成し、該差込枠とシーブ枠との空間に膨脹体を設けてなる請求項１のシフターのシーブ枠固定装置。
【請求項３】上記シーブ枠の周囲には収縮時の膨脹体を保護するための突起部を設けてなる請求項１又は２のシフターのシーブ枠固定装置。
【発明の詳細な説明】
【０００１】
【発明の属する技術分野】
本発明は、篩網を張設した複数のシーブ枠を篩網の目幅の大きさ順に同一機枠内に積層し、該機枠を垂直方向の回転揺動軸によって回転揺動させ、粉粒体を粒径ごとに篩い分ける製粉用のシフターに係り、特に、シフター機枠内にシーブを固定するためのシーブ枠固定装置に関する。
【０００２】
【従来の技術】
図７に基づいて従来のシフター１００について説明する。複数のシーブ枠１０１をシフター機枠１０２内に積層してあり、積層したシーブ枠１０１をボルト１０３とナット１０４とで一体的に固定してある。シーブ枠１０１の篩網は、上段から下段にかけて徐々に網目の細かい篩網となるように積層してあり、最上段から原料の粒状物投入し、下段になるほど細かい粒子が取り出せるようになっている。シフター機枠１０２は、その中心位置に、回転揺動する垂直な回転軸１０５を備え、回転軸１０５の回転によってシフター機枠１０２は水平方向に回転揺動される。シフター機枠１０２が回転揺動すると機枠内のシーブ枠１０１も回転揺動し、最上段の投入口１０６から投入される粒状物は、篩網の回転揺動と篩網の目幅によって篩い分けられ、下方の排出口１０７から排出される。シフター機枠１０２は、その四隅をグラスファイバーロッド１０８などによって揺動可能に支えられている。
【０００３】
また、シーブ枠１０１積層の別の形態として、シフター機枠１０１内に差込枠（レール）を設け、この差込枠にシーブ枠１０１を差し込み、差し込んだ側からシーブ枠１０２が飛び出さないように板状の固定板で固定するものもある。この場合も前述と同様に、垂直な回転揺動する回転軸を備え、回転軸の回転によってシフター機枠１０２は水平方向に回転揺動して粒状物は篩い分けられる。シフター機枠１０２に設けられた差込枠にシーブ枠１０１を差し込む際、差込枠には板ばね等による固定手段が設けられ、左右及び上下方向の「がたつき」なくシーブ枠が固定される。
【０００４】
【発明が解決しようとする課題】
図７に示す上記シフター１００においては、複数のシーブ枠１０１を積層して一体的に固定するので、例えば最下段のシーブ枠１０１を取り替えるために、ナット１０４を緩めて上部の全てのシーブ枠１０１を取り除かなければならず、多くの時間を要している。
【０００５】
ところで、シフター機枠１０２に差込枠を設け、ここにシーブ枠１０１を差し込むようにしたものは、差し込むことによってシフター機枠１０２にシーブ枠１０１を固定するために差込枠内に比較的強い固定手段が設けられる。例えば、板ばねによってシーブ枠１０１を押圧するものは、回転揺動するシーブ枠が差込枠内で振動しないよう、つまり、回転揺動によって板ばねが伸縮しない弾性を備えることが必要である。したがって、シーブ枠１０１の抜き差しには固定手段に抗する相当の力を必要とし、シーブ枠１０１の強度を確保しておかなければ、抜き差しの際に破損することもあった。
【０００６】
上述したように、従来のシフターにおけるシーブ枠１０１の固定手段は、取り替えに多くの時間を要したり、シーブ枠１０１の抜き差しに注意を払ったり、シーブ枠１０１の強度を確保したり等、多くの課題が残されており、これらを全て解決した技術は存在しない。そこで、本発明は、これらの課題を解決したシーブ枠固定装置を提供することを技術的課題とするものである。
【０００７】
【課題を解決するための手段】
前記課題を解決するため本発明は、機枠内に複数のシーブ枠を多段状に積層してなるシフターにおいて、各シーブ枠を固定するため、流体の注入によって膨脹する膨脹体を各シーブ枠に添って周設する、という技術的手段を講じたものである。
【０００８】
これにより、流体が注入されて膨脹体が膨脹すると、各シーブ枠の周囲が該膨脹体によって互いに押し付けられ、シフター機枠内においてシーブ枠が固定される。また、膨脹体から流体を排出させて膨脹体を収縮させると、シーブ枠を差し替えるための間隙が確保され、シーブ枠の取り替えが行われる。
【０００９】
膨脹体は、車輪用のゴム製チューブ状のもので空気注入部を備えるものが間便である。その形状は、シーブ枠が一般的に四角形状であることから、これに合致させるべく、ほぼ四角形状であることが好ましい。当然、シーブ枠が丸形であれば、膨脹体も丸形であることが好ましい。また、ゴム製チューブだけでなく、このチューブの外を覆うタイヤを設けることによって、空気を注入してチューブが膨脹したとき、その膨脹が過度にならないようにすることができる。注入する流体は空気に限らず、さらに、膨脹体は、流体の注入と排出によって空間占有体積が大小に変化するものであればよい。
【００１０】
そして、上記機枠内には各シーブ枠を嵌（かん）合するための差込枠（レール）を形成し、該差込枠にシーブ枠を差し込んだときに形成される差込枠とシーブ枠との空間に膨脹体を設けることもできる。
【００１１】
これにより、シフター機枠内に設けた差込枠に各シーブ枠を差し込んで嵌合し、シーブ枠周囲と差込枠との間に形成される空間に設けた膨脹体を膨脹させ、シーブ枠周囲と差込枠との緊張によりシーブ枠を固定するものである。
【００１２】
このとき、シーブ枠の周面に膨脹体を位置させてもよいし、シーブ枠の枠の上面又は下面に位置させてもよい。つまり、差込枠の上下方向又は水平方向のいずれに空間的余裕があるかによって膨脹体の位置が決まり、一方、空間的余裕のない方向は差込枠によってシーブ枠は固定されている。
【００１３】
また、シーブ枠の周囲には収縮時の膨脹体を保護するための突起部を設けたので、膨脹体を収縮してシーブ枠を脱着する際、膨脹体が直接他の部材に接触して傷ついたり、新たな摩擦を生じたりすることがなく、シーブ枠の抜き差しは突起部の端部によって行われる。なお、突起部はシーブ枠ではなく、差込枠側に設けることもできる。
【００１４】
【発明の実施の形態】
本発明による好適な第１の実施形態を図１乃至図３により説明する。図１に示すものは、駆動部分やグラスファイバーロッドを省略したシフター１の断面図である。シフター１は、その四方に設けた各支柱２との間を閉じるべく設けた側板３、支柱２の各上部を固定するステー４及び支柱２の各下部を固定するステー５から構成される機枠６と、この機枠６内部に積層した複数のシーブ枠７とからなる。
【００１５】
シーブ枠７個々には膨脹体８と突起部９とがそれぞれ設けてある。これを、図２（１）の一部拡大図に基づいて説明する。膨脹体８は、例えばゴム製チューブ８ｂと硬質ゴム（一般的なタイヤ態様）８ａとから構成してある。膨脹体８に空気を注入した状態が図２（１）であり、空気を注入していない状態が図２（２）である。空気が注入されていないと膨脹体８は収縮するが、このとき、シーブ枠７の重量で膨脹体８が押しつぶされないように突起部９によってこれを保護するようにしてある。したがって、突起部の高さ（大きさ）は、膨脹体８の収縮時の形状によって変更されるべきである。
【００１６】
図３によりシーブ枠７について更に説明する。シーブ枠７は、周辺に枠７ａを、中央に篩網１０を各々備え、枠７ａの下方には枠７ａの四辺に添って突起部９を設けるとともに、該突起部９の内側に膨脹体８を備えている。また、膨脹体８には注入栓１１を備えており、この注入栓１１が空気の注入口及び排気口となる。
【００１７】
以上のような構成において、シフターの機枠６へシーブ枠７を挿入するときは、膨脹体８を突起部９の内側に保護するようにして（図２（２）参照）挿入する。このとき膨脹体８は収縮して突起部９の高さより低いので、機枠６や他のシー部枠７と膨脹体８とが直接擦れ合うことがなく、挿入時において膨脹体８が傷つくことがない。すべてのシーブ枠７の挿入が終了すると、注入栓１１から空気を注入する。空気が注入されて膨脹体８が各シーブ枠７間で膨脹すると、すべてのシーブ枠７は機枠６内にしっかり固定される。
【００１８】
シーブ枠７を取り替えるときは、少なくとも、取り替えるシーブ枠７下方の膨脹体８の空気を排気し（図２（２））、機枠６内の緊張を解いて当該シーブ枠７を引き出すものである。こうして、すべてのシーブ枠７を取り除くことなく、目的のシーブ枠７だけを抜き取って取り替えることができる。このとき、すべての膨脹体８の空気を抜いてもよいし、抜き取るシーブ枠７と関連する上下の膨脹体８だけの空気を抜いてもよい。
【００１９】
なお、膨脹体８の材質、形状又はその構成については、流体の注入と排出によって膨脹と収縮の作用を有するものであればよい。また、本実施態様では、膨脹体８をシーブ枠７の下方にのみ設けること、及び枠７ａの四方周囲に設けることを示したが、これに限定されるものではない。
【００２０】
次に、本発明の別の実施態様を図４及び図５に基づいて説明する。図４においては、機枠６内に、シーブ枠７を上下方向からサポートする差込枠１２を備えている。すなわち、差込枠１２は、シーブ枠７との嵌合を可能とするよう機枠６に固着してあり、シーブ枠７は差込枠１２内に抜き差し自在な嵌合状態となり、差込枠１２によって上下方向の動きを規制される。シーブ枠７の枠７ａ周囲に膨脹体８と突起部９とが設けられ、膨脹体８に空気を注入することにより、機枠６とシーブ枠７との間で膨脹体８が膨脹してシーブ枠７の左右の動きが規制される。したがって、膨脹体８を収縮させた状態で機枠６内にシーブ枠７を挿入し、次いで膨脹体８に空気を注入することでシーブ枠７は固定され、一方、シーブ枠７を抜き去るときは、当該シーブ枠７に周設した膨脹体８のみを収縮させることでよく、先の実施態様に比べて抜き差しの取扱いが容易である。
【００２１】
図５では図１に示す実施態様に差込枠１３を設けた場合を示している。シーブ枠７は機枠６によって左右方向の動きが規制され、上下方向には膨脹体８の膨脹により差込枠１３内で動きが規制される。この場合も、先の実施態様と同様に必要なシーブ枠７のみを抜き差しできる。
【００２２】
機枠６内に複数のシーブ枠７を積層した後、膨脹体８個々の注入口１１を同一方向にするとよい。また、シーブ枠７の差込口を閉じる封鎖板１５には前記注入口１１に対応した開口部１６と、機枠６の支柱１８に設けられたねじ穴に対応した開口部１７とを有し、注入口１１を封鎖板１５の開口部１６を通して外部に露出させるとともに封鎖板１５をボルト１９で支柱２に固定する。このように、封鎖板１５によって差込口を封鎖してシーブ枠７を機枠６内に格納した後に、注入口１１から空気を注入する。このとき、膨脹体８は四方から囲まれた状態で膨脹するので、シーブ枠７は四方から緊張状態を受けることになる。
【００２３】
【発明の効果】
本発明によれば、膨脹体をシーブ枠に添って周設したことにより、シーブ枠を抜き差しする際には膨脹体から流体を抜くことによって容易にこれが行え、シーブ枠を装着した後に膨脹体に流体を注入して膨脹させることによってシーブ枠が膨脹体を介して他のシーブ枠又はシフター機枠に押し付けられてシフター機枠内に容易に固定され、他の固定手段は不要である。
【００２４】
また、シフター枠内に差込枠を形成し、該差込枠とシーブ枠との空間に膨脹体を設けることにより、シーブ枠の抜き差し及び固定がより容易になる。さらに、目的とするシーブ枠の膨脹体の流体を排出することにより、特定のシーブ枠のみを容易に抜き出して別のシーブ枠と交換し、再び差込枠に嵌合するとともに当該膨脹体を膨脹させるだけでシーブ枠を固定でき、他のシーブ枠を取り外す必要がない。
【００２５】
さらに、膨脹体を保護するための突起部を設けたので、膨脹体を収縮させてシーブ枠を抜き差しする際、膨脹体がシーブ枠間に挟まれて障害となったり、傷付いたりすることがなく、突起部の端部を使ってシーブ枠の抜き差しが行われて膨脹体は保護される。
【図面の簡単な説明】
【図１】本発明に係るシーブ固定手段を示した側断面図である。
【図２】シーブ枠に設けた膨脹体の作動の詳細図である。
【図３】本発明による固定手段を備えるシーブ枠を分解した斜視図である。
【図４】シーブ枠固定手段の別の実施例図である。
【図５】同上の更に別の実施例図である。
【図６】本発明に係るシフターの斜視図である。
【図７】従来のシフターを示す側面図である。
【符号の説明】
1  シフター
２  支柱
３  側板
４  フレーム
５  フレーム
６  機枠
７  シーブ枠
８  膨脹体
９  突起部
１０  篩網
１１  注入口
１２  差込枠
１３  差込枠
１５  差込枠
１６  開口部
１７  開口部
１８  ねじ穴
１９  ボルト
１００  シフター
１０１  シーブ枠
１０２  シフター機枠
１０３  ボルト
１０４  ナット
１０５  回転軸
１０６  投入口
１０７  排出口
１０８  グラスファイバーロッド


【手続補正２】
【補正対象書類名】図面
【補正対象項目名】図３
【補正方法】変更
【補正の内容】
【図３】
2001038293.tif 000001
【手続補正３】
【補正対象書類名】図面
【補正対象項目名】図７
【補正方法】変更
【補正の内容】
【図７】
2001038293.tif 000002